(57)【要約】本発明は、人口的な急流河川の一部を作り出す水路（２０）を画成する手段を有する少なくとも一つの浮遊構造（１０）を、一方に前記水路における一方の端部に水を供給する手段（３０）、および他方に前記水路における反対の端部で水流を制御する手段（４０）とともに含み、前記供給手段および前記流れ制御手段は急流を作り出すようにされていることを特徴とする急流でのウオータースポーツの練習のための設備に関する。
2009519389.tif 000002
【特許請求の範囲】
【請求項１】
人口的な急流河川の一部を作り出すために水路（２０）を形成する手段を備える少なくとも一つの浮遊構造（１０）を、第一に前記水路における一方の端部に水を供給する手段（３０）、および第二に前記水路における反対の端部で水流を制御する手段（４０）とともに含み、前記供給手段および前記流れ制御手段は急流を作り出すようにされていることを特徴とする急流でのウオータースポーツの練習のための設備。
【請求項２】
浮遊構造（１０）は当該構造のこう配を調整するようにされたバラスト（１２）を有することを特徴とする請求項１記載の設備。
【請求項３】
互いに連結されたいくつかの浮遊構造（１０）を有することを特徴とする請求項１または２記載の設備。
【請求項４】
互いの端部で連結されたいくつかの浮遊構造（１０）を有することを特徴とする請求項１から３のいずれかに記載の設備。
【請求項５】
互いの側部で連結されたいくつかの浮遊構造（１０）を有することを特徴とする請求項１から４のいずれかに記載の設備。
【請求項６】
水路（２０）が、互いに連結されたいくつかの浮遊支持構造（１０）の合計面積の全てまたは一部に等しい面積を有することを特徴とする請求項１から５のいずれかに記載の設備。
【請求項７】
互いに連結されたいくつかの浮遊構造（１０）を有し、水路（２０）がいくつかの部分を有し、これらは移送流路（２２）によって一体に連結されていることを特徴とする請求項１から５のいずれかに記載の設備。
【請求項８】
艀押し船または曳航船と協働するようにされていることを特徴とする請求項１から７のいずれかに記載の設備。
【請求項９】
供給手段（３０）および／または流れ調整手段（４０）は浮遊構造（１０）上に設置されることを特徴とする請求項１から８のいずれかに記載の設備。
【請求項１０】
供給手段（３０）および／または流れ調整手段（４０）は浮遊構造（１０）の外に設置され、浮遊設備（１０）に配管で接続されることを特徴とする請求項１から８のいずれかに記載の設備。
【請求項１１】
供給手段（３０）、流れ調整手段（４０）、および水路（２０）は急流タイプの人工河川を形成することを特徴とする請求項１から１０のいずれかに記載の設備。
【請求項１２】
水路（２０）の水流が３〜１４ｍ３／秒であることを特徴とする請求項１１記載の設備。
【請求項１３】
供給手段（３０）、流れ調整手段（４０）、および水路（２０）は波乗りに適した波を形成することを特徴とする請求項１から１０のいずれかに記載の設備。
【請求項１４】
水路（２０）の水流が３〜１２ｍ３／秒であることを特徴とする請求項１３記載の設備。
【請求項１５】
供給手段（３０）および流れ調整手段（４０）は、海、河川、湖、または運河のような人工的または自然の貯水源から水を引き込みおよび／またはこれらに水を放出することを特徴とする請求項１から１４のいずれかに記載の設備。
【請求項１６】
供給手段（３０）および流れ調整手段（４０）は閉じた回路を形成することを特徴とする請求項１から１４のいずれかに記載の設備。
【請求項１７】
急流河川のこう配が０．４〜２％であることを特徴とする請求項１から１６のいずれかに記載の設備。
【請求項１８】
水路（２０）を進み終わった後に、そのスタート地点に使用者が戻ることを可能とする移動コンベアーもしくはエレベーターまたはアクセスランプを有することを特徴とする請求項１から１７のいずれかに記載の設備。
【請求項１９】
流れ調整手段（４０）の排水部に波乗りに適した波を作り出すように構成された手段を有することを特徴とする請求項１から１８のいずれかに記載の設備。
【発明の詳細な説明】
【技術分野】
【０００１】
本発明は、急流でのウオータースポーツ活動、限定されない例として、カヌー、カヤック、水泳、そのほかラフティング、タビング、フリースタイルの名前で知られている類のレジャー活動のようなスポーツの練習のための設備の分野に関する。
【背景技術】
【０００２】
もともと、これらのスポーツの多くは自然の川で練習されていた。しかしながら、要望が高まってきたことにより、これらの活動の発展に使用するために、人工的なプールや川を開発する要求が明らかになった。
【０００３】
以下の文書では、この目的のための水の流れやプールの開発についての提案の例を見ることができる：特許文献１から１４。
【特許文献１】ＦＲ−２６７２３２１号公報
【特許文献２】ＦＲ−２６８３４５８号公報
【特許文献３】ＦＲ−２６８５８７７号公報
【特許文献４】ＦＲ−２８５３６７９号公報
【特許文献５】ＥＳ−２１９３８５７号公報
【特許文献６】特開平１１−３２４３６９号公報
【特許文献７】特開平７−４８８１７号公報
【特許文献８】ＥＰ−００９６２１６号公報
【特許文献９】ＵＳ−４０８７８７０号公報
【特許文献１０】ＷＯ８３／０４３７５パンフレット
【特許文献１１】ＷＯ９２／０４０８７パンフレット
【特許文献１２】ＷＯ９２／１４００１パンフレット
【特許文献１３】ＷＯ９３／１５８０１パンフレット
【特許文献１４】ＷＯ９６／３９２３５パンフレット
【発明の開示】
【発明が解決しようとする課題】
【０００４】
上記の文書は、総じて、ウオータースポーツ活動の開発のために多くの努力が捧げられてきたことを示している。
しかしながら、適用された手段の多さにもかかわらず、経験上、現在の設備は要求を十分に満足することができていない。
【０００５】
本発明の目的は、それゆえ、急流でのスポーツ活動の練習に対してなされた向上を可能とするであろう新しい手段を提案することである。
本発明の重要な狙いは、容易に移動する人工的な急流河川を形成する手段の提供を可能とすることである。
【０００６】
本発明の他の補助的な目的は、その一方で参加者に高度な安全を提供するとともに環境を考慮するという要求を満足する手段をも提案することである。
【課題を解決するための手段】
【０００７】
上記の目的は本発明において、人口的な急流河川の一部を作り出す水路を形成する手段を備える少なくとも一つの浮遊構造を、第一に前記水路における一方の端部に水を供給する手段、および第二に前記水路における反対の端部で水流を制御する手段とともに、いずれも含み、前記供給手段および前記流れ制御手段は急流を作り出すようにされているという事実を特徴とする急流でのウオータースポーツの練習のための設備によって達成されている。
【０００８】
本発明の他の特徴、目的、および利点は、限定されない例として与えられる添付図面を参照しつつ以下の詳細な説明を読むことにより明らかになるであろう。
【発明を実施するための最良の形態】
【０００９】
前に示されたとおり、その一般的構造として、本発明に係る設備は、上方が開口された水路２０を形成するための浮遊構造すなわちプラットフォーム１０を、第一に前記水路２０における一方の端部に水を供給する手段３０、および第二に水路２０における反対の端部で水流を制御する手段４０とともに、いずれも含む。
【００１０】
浮遊プラットフォームすなわち設備１０は多くの代替の実施形態の対象となりうる。限定されることなく、これは、はしけ、ブイ、またはいかなる同等の手段から構成されうる。
【００１１】
同様に、水路２０は、その表面形状、幅、長さ、高さに関して、および水流を跳ね上がらせる手段に関して、多くの代替の実施形態の対象となりうる。ボード、浮遊プラットフォーム１０の側面のエッジ、またはプラットフォームに取り付けられたいかなる他の手段によって、水路２０を跳ね上げることが可能である。
【００１２】
水路２０における一方の端部に水を供給する手段３０、および反対の端部に備えられた水流を制御する手段４０は、いずれも、構造体１０の内部に組み込まれてもよいし、これの外部に設置されて適切な配管によって供給用導水路および排出用導水路に接続されてもよい。
【００１３】
供給手段３０、および流れ制御手段４０も、必要に応じて、適切な手段を備えたポンプシステムによって形成されることが好ましい。
このポンプ手段３０は、海、小川、河川、湖、運河などのような人工的または自然の貯水源からの水を引き込み、そして、水路２０に放出することができる。同様に、流れ制御手段４０は、水路２０の排出部において水を引き込み、必須ではない例示として、供給手段３０が引き込んだものと同じ人工的または自然の貯水源へと水を放出することができる。
【００１４】
変形例において、ポンプ手段３０および流れ制御手段４０は、閉回路を形成してもよく、このとき、手段４０の出力は手段３０の入力に接続される。蒸発や他の理由によって水量が減ったときは、必要に応じ、追加的な供給手段からそのような回路に供給してもよい。
【００１５】
好ましくは、手段らは、その設備の使用時間以外、さらに必要であれば輸送や移動の間に、水流を閉じることおよび水路を放流することを可能にするようにされている。
この浮遊構造すなわちプラットフォーム１０は、好ましくは、図１の参照番号１２に概略的に示されるように浮き、ケーソン、またはバラストを有し、これらの内容物、好ましくは空気または水の特性にしたがって構造１０の水位を制御するようにされており、特に水路２０の縦方向のこう配および横方向のこう配の調整が、係留点（たとえばドック）との関係での全体的なプラットフォーム１０および水路２０の深さの調整とともに可能とされている。
【００１６】
もし必要であれば、その設備は、望ましい水位に維持するように、水路２０に存在する水もしくは他の要素の重さおよび／または構造１０に及ぼされる他のあらゆる力を関数としてバラスト１２への注水および排水を調整すること使用される調整手段を備える。
【００１７】
図２から４に概略的に示されるように、必要であれば、その設備は、いくつかの連結された浮遊構造の組合せによって形成されていてもよい。図２は、それぞれの端部で連結された二つの浮遊構造１０ａ、１０ｂを示している。図３は、それぞれの側部で連結された二つの浮遊構造１０ａ、１０ｂを示している。
【００１８】
最後に、図４は、もう一つの複合的な変形例であって、対になってそれぞれの端部および側部で連結された４つの浮遊設備１０ａ、１０ｂ、１０ｃ、１０ｄが組み合わさったものが示されている。
【００１９】
本説明を読むことによって、当業者は、このような要素の結合が要求にかなういかなる長さおよび幅を有する人工的な急流を作り出すことに最終的に適用されうることを容易に理解することができるであろう。
【００２０】
そのような浮遊設備から作り出される水路２０は、連結された浮遊構造の全合計面積における全てまたは一部と一致しうる。変形例において、図２、３、および４に示されるようないくつかの浮遊設備の組合せの場合には、各浮遊構造１０のそれぞれに分離した水路２０を設けることが可能である。
【００２１】
当然ながら、各水路２０の幅および長さは必ずしも浮遊プラットフォーム１０によって形成される設置面積と一致する必要はない。実際、水路２０の幅および／または長さはこの設置面積よりも大きくなりうるし、小さくもなりうる。
【００２２】
さらに別の変形例によれば、それぞれが各浮遊構造１０の上に重なり、異なる水路２０の間で、図２の２２に示されるような可変の流路の形状をなす移送流路で連結された水路２０を供給することも可能である。
【００２３】
浮遊表面１０は、河川や運河の移動の間、または海路を移動する場合には、適切な艀押し船（push barge）または曳航船によって移動されるようになっていることが好ましくい。しかしながら、変形例においては、浮遊表面１０が恒久的に係留されるようにされていてもよい。
【００２４】
艀押し船と協働する場合には、それゆえ、本発明に係る浮遊構造が河、湖、運河その他を移動することを想定することが可能である。曳航船と協働する場合には、本発明に係る浮遊構造が海路を移動することを想定することが可能である。それゆえ、例えば、本発明に係る設備は、困難なく、かつ廉価に、河や運河に沿って、もしくは海岸水域に沿って、または英仏海峡の類を横切って移動されることが可能である。
【００２５】
必要であれば、その設備は運搬船によって輸送されることも可能である。
本発明に係る設備はそれゆえ、水路２０に関する多くのプロジェクトの創出に適している。
【００２６】
特に、いかなる限定的な意味を有さないこととして、急流を有するまたは波乗りに適した波を有する人工的な河川を創出することに適しているといえる。
図２に示されるように、必要であれば、その設備は、本来の水路２０によって構成される急流に先立って、スタート用プール２４を有していていてもよい。
【００２７】
水路２０はコンクリート、鉄、木、プラスチック、アルミニウムなどいかなる適切な材料から作り出されていてもよい。
急流河川のこう配は、有利には、０．４〜２％である。このこう配は、構造１０に一体化された、またはこれに後から設置された水路２０の底部２１の傾き、供給手段３０および流れ制御手段４０との間に設置された水の流れ、およびバラスト材料１２により規定される水位によって、規定される。
【００２８】
急流河川にとって好ましい水流は３〜１４ｍ３／秒である。
波乗りに適した波にとって好ましい水流は３〜１２ｍ３／秒である。
水路２０の水面における急流河川の水の動きは、図１の２５に示されるようなコンクリート製の岩の露出部もしくはあらかじめ所定形状にされたコンクリート製の要素など固定された障害物、または「omniflot」タイプの移動性の障害物、または制御された水流を水路２０の側壁から注入するノズルの使用などいかなる他の適切な手段によって作り出されてもよい。流れ制御手段４０は、本発明に係る設備を取り巻く湖におけるフリースタイルやロデオサーフィンの練習を可能とする波を発生させるために使用されてもよい。
【００２９】
さらに、図４に示されるように、必要であれば、水路２０を進み終わった後に、そのスタート地点に使用者が戻ることを可能とするという強化された機能を供給するために、浮遊構造の一方の側部または一方の端部のようなところに、移動コンベアー５０もしくはエレベーター設備またはアクセスランプ（access ramp）が設けられていてもよい。
【００３０】
変形例において、揚陸システムが浮遊設備の側部に設置されていてもよい。
当然のこととして、本発明は、記載された特定の実施形態に限定されず、本発明の趣旨に従ういかなる変形例にも拡張される。
【００３１】
現在知られている手段に関連して、本発明に係る設備は、多くの有利な点を提供し、それらの中から次のようなことが言える：
−練習されるスポーツの種類によらず、特定され確認された場所でスポーツ活動が練習されることを保証し、かつ救命具を簡単に入手することを可能とする程度の、使用者に対する向上された安全性、
−使用しうる設備をほとんど無限に増加させることができること、
−水路２０の水流の調整、およびその結果として、関係する使用者やスポーツにあわせて水路を調整することを可能としていること、そして、そのような調整は練習生である場合に特に有益であること、ならびに
−とても多くの人に使用されることを可能とする、設備に関する高度な移動度。
【図面の簡単な説明】
【００３２】
【図１】本発明の一実施形態に係る設備を概念的に示す長手方向縦断面図である。
【図２】本発明の一変形例に係る設備を概念的に示す上面図である。
【図３】本発明の一変形例に係る設備を概念的に示す上面図である。
【図４】本発明の一変形例に係る設備を概念的に示す上面図である。
【図１】
2009519389.tif 000003
【図２】
2009519389.tif 000004
【図３】
2009519389.tif 000005
【図４】
2009519389.tif 000006
【国際調査報告】
2009519389.tif 000007
2009519389.tif 000008
2009519389.tif 000009
2009519389.tif 000010
2009519389.tif 000011
2009519389.tif 000012